(57)【要約】【課題】本発明は、ＦＰＣを確実に保持できると共に、電気的接触状態に支障をきたすことなく低背化を実現できるフレキシブル基板用コネクタの提供を課題とする。【解決手段】フレキシブル基板７が挿入されるＦＰＣ挿入開口１１を有するハウジング１と、上記フレキシブル基板７の接点と接触するコンタクト部２４，３４を有する複数の端子２と、上記フレキシブル基板７を上記コンタクト部２４，３４に向って圧接するアクチュエータ４を備え、上記アクチュエータ４が、ＦＰＣ挿入位置からＦＰＣ接続位置の間で動作可能に成されているフレキシブル基板用コネクタにおいて、上記アクチュエータ４のＦＰＣ挿入位置からＦＰＣ接続位置までの動作を、ＦＰＣ挿入位置からスライド開始位置までの回動動作と、スライド開始位置からＦＰＣ接続位置までのＦＰＣ７の挿入方向へのスライド動作によって構成し、上記アクチュエータ４によるフレキシブル基板７のコンタクト部２４，３４への圧接が、アクチュエータ４をＦＰＣ接続位置にスライドさせる際に行われることを特徴としている。【選択図】　図１
2004063401.tif 000002
【特許請求の範囲】
【請求項１】
フレキシブル基板（７）が挿入されるＦＰＣ挿入開口（１１）を有するハウジング（１）と、上記ＦＰＣ挿入開口（１１）に挿入されるフレキシブル基板（７）の接点と接触するコンタクト部（２４，３４）を有する複数の端子（２）と、上記フレキシブル基板（７）を上記コンタクト部（２４，３４）に向って圧接するアクチュエータ（４）を備えて成り、上記アクチュエータ（４）が、ＦＰＣ挿入位置からＦＰＣ接続位置の間で動作可能に成されているフレキシブル基板用コネクタにおいて、
上記アクチュエータ（４）は、ＦＰＣ挿入開口（１１）の奥側の両端部に配設された取付金具（６）によって回動可能且つフレキシブル基板（７）の挿入方向に沿ってスライド可能に支持される支持軸（５３）を備え、上記アクチュエータ（４）のＦＰＣ挿入位置からＦＰＣ接続位置までの動作が、ＦＰＣ挿入位置からスライド開始位置までにおける回動動作と、スライド開始位置からＦＰＣ接続位置までにおけるフレキシブル基板（７）の挿入方向へのスライド動作によって構成され、さらに、上記アクチュエータ（４）は、複数の端子（２）のコンタクト部（２４，３４）の上方に形成された上腕部（２６）が挿入される上腕部収容溝（４２）を備え、上記上腕部収容溝（４２）には、カム（４３）と係合部（４４）が形成され、上記アクチュエータ（４）のＦＰＣ挿入位置からスライド開始位置への回動動作が上記カム（４３）に沿って行われると共に、上記アクチュエータ（４）がＦＰＣ接続位置にスライドする際に、上記上腕部（２６）の下面（２７）と係合部（４４）とが係合して、アクチュエータ（４）によるフレキシブル基板（７）のコンタクト部（２４，３４）への圧接が行われるように構成され、さらに、上記上腕部収容溝（４２）に形成されたカム（４３）と係合部（４４）の間には、凹部（４５）が形成され、上記アクチュエータ（４）のＦＰＣ挿入位置からスライド開始位置への回動動作の際におけるアクチュエータ（４）と上腕部（２６）との干渉が防止されるように構成されていることを特徴とするフレキシブル基板用コネクタ。
【請求項２】
上記複数の端子（２）は、上記ＦＰＣ挿入開口（１１）の入口側にコンタクト部（２４）が位置する偶数極端子（２１）と、上記ＦＰＣ挿入開口（１１）の奥側にコンタクト部（３４）が位置する奇数極端子（３１）より成り、上記アクチュエータ（４）の上腕部収容溝（４２）が、上記偶数極端子（２１）の上腕部（２６）に対応する位置にのみ形成され、さらに、上記アクチュエータ（４）がＦＰＣ接続位置に位置しているときには、上記上腕部（２６）の下面（２７）と係合部（４４）との係合位置を中にして、ＦＰＣ挿入開口（１１）の入口側に偶数極端子（２１）のコンタクト部（２４）が位置していると共に、ＦＰＣ挿入開口（１１）の奥側に奇数極端子（３１）のコンタクト部（３４）が位置しており、アクチュエータ（４）によってＦＰＣ（７）を圧接した際の偶数極端子（２１）のコンタクト部（２４）による反力と奇数極端子（３１）のコンタクト部（３４）による反力とがバランスしていることを特徴とする請求項１記載のフレキシブル基板用コネクタ。
【請求項３】
上記アクチュエータ（４）は、両端部にフック部（５４）を備え、上記フック部（５４）は、アクチュエータ（４）をスライド開始位置からＦＰＣ接続位置にスライドさせた際に、ＦＰＣ挿入開口（１１）の奥側の両端部に配設された取付金具（６）のロック用突部（６２）に係合するように構成されていることを特徴とする請求項１又は請求項２に記載のフレキシブル基板用コネクタ。
【請求項４】
上記アクチュエータ（４）は、板状の金属部材（５１）を樹脂でモールドして成り、上記金属部材（５１）は、樹脂モールド（４１）で被覆される装着部（５２）と、樹脂モールド（４１）から露出する支持軸（５３）及びフック部（５４）より成り、上記装着部（５２）と支持軸（５３）及びフック部（５４）が一体的に形成されていることを特徴とする請求項３記載のフレキシブル基板用コネクタ。
【請求項５】
フレキシブル基板（７）が挿入されるＦＰＣ挿入開口（１１）を有するハウジング（１）と、上記ＦＰＣ挿入開口（１１）に挿入されるフレキシブル基板（７）の接点と接触するコンタクト部（２４，３４）を有する複数の端子（２）と、上記フレキシブル基板（７）を上記コンタクト部（２４，３４）に向って圧接するアクチュエータ（４）を備えて成り、上記アクチュエータ（４）が、ＦＰＣ挿入位置からＦＰＣ接続位置の間で動作可能に成されているフレキシブル基板用コネクタにおいて、
上記アクチュエータ（４）は、ＦＰＣ挿入開口（１１）の奥側の両端部にて回動可能且つフレキシブル基板（７）の挿入方向に沿ってスライド可能に支持されて成り、上記アクチュエータ（４）のＦＰＣ挿入位置からＦＰＣ接続位置までの動作が、ＦＰＣ挿入位置からスライド開始位置までにおける回動動作と、スライド開始位置からＦＰＣ接続位置までにおけるフレキシブル基板（７）の挿入方向へのスライド動作によって構成され、上記アクチュエータ（４）によるフレキシブル基板（７）のコンタクト部（２４，３４）への圧接が、上記アクチュエータ（４）をフレキシブル基板（７）の挿入方向へスライドさせてＦＰＣ接続位置に位置させる際に行われ、しかも、上記複数の端子（２）は、アクチュエータ（４）に形成されるカム（４３）に係合する上腕部（２６）を備え、上記アクチュエータ（４）のＦＰＣ接続位置が、上記上腕部（２６）に形成されたテーパー面（Ｓ）とカム（４３）との当接位置によって決められることを特徴とするフレキシブル基板用コネクタ。
【発明の詳細な説明】
【０００１】
【発明の属する技術分野】
本発明は、フレキシブル基板用コネクタに係り、さらに詳しくは、ＦＰＣを確実に保持できると共に、電気的接触状態に支障をきたすことなく低背化を実現できるフレキシブル基板用コネクタに関する。
【０００２】
【従来の技術】
周知の通り、フレキシブル基板（ＦＰＣ）の接続を行うためにフレキシブル基板用コネクタが用いられており、上記フレキシブル基板用コネクタとしては、実用新案登録第２５８００７４号に示されているように、上方に開口する開口部が形成されたハウジングと、上記開口部に位置するコンタクト部を有する複数の端子と、上記開口部に設けられる蓋状の加圧部材（アクチュエータ）より成り、上記加圧部材によって、開口部に挿入されたＦＰＣを端子のコンタクト部に向かって加圧するものが一般的である。
【０００３】
そして、上記加圧部材によるＦＰＣの加圧は、加圧部材に設けられたカムによって行われ、上記加圧部材を開放位置から加圧位置へ回動させることにより、上記加圧部材に設けられたカムが、カムと向かい合う位置に配設された端子のコンタクト部に向かってＦＰＣを加圧するものである。
【０００４】
さらに、上記フレキシブル基板用コネクタに接続されるＦＰＣは、必要に応じて様々な方向に取り回されるものであり、この取り回しの際にＦＰＣがズレたり外れたりしないようにするため、即ち、上記加圧部材に設けられたカムによる加圧をより確実に行い、ＦＰＣを確実に保持するために、端子のコンタクト部と向かい合うようにしてカムを軸支する回動支持部（枢支部）を設ける等の工夫が成されている。
【０００５】
【発明が解決しようとする課題】
ところで、フレキシブル基板用コネクタには、低背化が強く求められており、この低背化の要求に応えるために様々な工夫が成されているものであるが、上記従来のフレキシブル基板用コネクタは、加圧部材を開放位置から加圧位置へ回動させることによってＦＰＣを加圧し、その保持を行うものであり、ＦＰＣを取り回す際に、加圧部材を加圧位置から開放位置へ回動させようとする力が生じた場合にはＦＰＣの保持が不安定となり易く、特に、低背化の要求に応えるために、加圧部材自体を薄くした場合には、加圧部材の強度が低下し、その傾向が顕著となり、ＦＰＣを取り回す際に生じる加圧部材を加圧位置から開放位置へ回動させようとする力に抗しきれず、加圧部材が加圧位置から開放位置へと回動してしまう恐れがあった。
【０００６】
さらに、加圧部材自体を薄くした場合には、上記の不具合に加えて、変形や曲がり、撓み等の不具合が生じ易く、その結果、ＦＰＣを均一に加圧できず、ＦＰＣを確実に保持することが困難になってしまうと共に、電気的接触状態に支障をきたす恐れがあり、フレキシブル基板用コネクタの低背化を実現することは困難であった。
【０００７】
また、上記従来のフレキシブル基板用コネクタは、カムと向かい合う位置で端子が弾性変形し、ＦＰＣを加圧する機構となっているために、ＦＰＣの厚さ分に加えて、端子の弾性変形幅の分だけハウジングを高くしなければならず、フレキシブル基板用コネクタの低背化の妨げとなっていた。
【０００８】
よって、本発明は、上記不具合の解消を図り、ＦＰＣを確実に保持できると共に、電気的接触状態に支障をきたすことなく低背化を実現できるフレキシブル基板用コネクタの提供を目的とする。
【０００９】
【課題を解決する為の手段】
上記目的を達成する為に本発明は次の技術的手段を有する。即ち、フレキシブル基板７が挿入されるＦＰＣ挿入開口１１を有するハウジング１と、上記ＦＰＣ挿入開口１１に挿入されるフレキシブル基板７の接点と接触するコンタクト部２４，３４を有する複数の端子２と、上記フレキシブル基板７を上記コンタクト部２４，３４に向って圧接するアクチュエータ４を備えて成り、上記アクチュエータ４が、ＦＰＣ挿入位置からＦＰＣ接続位置の間で動作可能に成されているフレキシブル基板用コネクタにおいて、上記アクチュエータ４は、ＦＰＣ挿入開口１１の奥側の両端部に配設された取付金具６によって回動可能且つフレキシブル基板７の挿入方向に沿ってスライド可能に支持される支持軸５３を備え、上記アクチュエータ４のＦＰＣ挿入位置からＦＰＣ接続位置までの動作が、ＦＰＣ挿入位置からスライド開始位置までにおける回動動作と、スライド開始位置からＦＰＣ接続位置までにおけるフレキシブル基板７の挿入方向へのスライド動作によって構成され、さらに、上記アクチュエータ４は、複数の端子２のコンタクト部２４，３４の上方に形成された上腕部２６が挿入される上腕部収容溝４２を備え、上記上腕部収容溝４２には、カム４３と係合部４４が形成され、上記アクチュエータ４のＦＰＣ挿入位置からスライド開始位置への回動動作が上記カム４３に沿って行われると共に、上記アクチュエータ４がＦＰＣ接続位置にスライドする際に、上記上腕部２６の下面２７と係合部４４とが係合して、アクチュエータ４によるフレキシブル基板７のコンタクト部２４，３４への圧接が行われるように構成され、さらに、上記上腕部収容溝４２に形成されたカム４３と係合部４４の間には、凹部４５が形成され、上記アクチュエータ４のＦＰＣ挿入位置からスライド開始位置への回動動作の際におけるアクチュエータ４と上腕部２６との干渉が防止されるように構成されていることを特徴とするフレキシブル基板用コネクタである。
【００１０】
そして、上記複数の端子２は、上記ＦＰＣ挿入開口１１の入口側にコンタクト部２４が位置する偶数極端子２１と、上記ＦＰＣ挿入開口１１の奥側にコンタクト部３４が位置する奇数極端子３１より成り、上記アクチュエータ４の上腕部収容溝４２が、上記偶数極端子２１の上腕部２６に対応する位置にのみ形成され、さらに、上記アクチュエータ４がＦＰＣ接続位置に位置しているときには、上記上腕部２６の下面２７と係合部４４との係合位置を中にして、ＦＰＣ挿入開口１１の入口側に偶数極端子２１のコンタクト部２４が位置していると共に、ＦＰＣ挿入開口１１の奥側に奇数極端子３１のコンタクト部３４が位置しており、アクチュエータ４によってＦＰＣ７を圧接した際の偶数極端子２１のコンタクト部２４による反力と奇数極端子３１のコンタクト部３４による反力とがバランスしていることを特徴としている。
【００１１】
さらに、上記アクチュエータ４は、両端部にフック部５４を備え、上記フック部５４は、アクチュエータ４をスライド開始位置からフレキシブル基板７の挿入方向に移動させた際に、ＦＰＣ挿入開口１１の奥側の両端部に配設された取付金具６のロック用突部６２に係合するように構成されていることを特徴としている。
【００１２】
さらに、上記アクチュエータ４は、板状の金属部材５１を樹脂でモールドして成り、上記金属部材５１は、樹脂モールド４１で被覆される装着部５２と、樹脂モールド４１から露出する支持軸５３及びフック部５４より成り、上記装着部５２と支持軸５３及びフック部５４が一体的に形成されていることを特徴としている。
【００１３】
また、フレキシブル基板７が挿入されるＦＰＣ挿入開口１１を有するハウジング１と、上記ＦＰＣ挿入開口１１に挿入されるフレキシブル基板７の接点と接触するコンタクト部２４，３４を有する複数の端子２と、上記フレキシブル基板７を上記コンタクト部２４，３４に向って圧接するアクチュエータ４を備えて成り、上記アクチュエータ４が、ＦＰＣ挿入位置からＦＰＣ接続位置の間で動作可能に成されているフレキシブル基板用コネクタにおいて、上記アクチュエータ４は、ＦＰＣ挿入開口１１の奥側の両端部にて回動可能且つフレキシブル基板７の挿入方向に沿ってスライド可能に支持されて成り、上記アクチュエータ４のＦＰＣ挿入位置からＦＰＣ接続位置までの動作が、ＦＰＣ挿入位置からスライド開始位置までにおける回動動作と、スライド開始位置からＦＰＣ接続位置までにおけるフレキシブル基板７の挿入方向へのスライド動作によって構成され、上記アクチュエータ４によるフレキシブル基板７のコンタクト部２４，３４への圧接が、上記アクチュエータ４をフレキシブル基板７の挿入方向へスライドさせてＦＰＣ接続位置に位置させる際に行われ、しかも、上記複数の端子２は、アクチュエータ４に形成されるカム４３に係合する上腕部２６を備え、上記アクチュエータ４のＦＰＣ接続位置が、上記上腕部２６に形成されたテーパー面Ｓとカム４３との当接位置によって決められることを特徴とするフレキシブル基板用コネクタである。
【００１４】
本発明は、上記技術的手段より成り、アクチュエータ４のＦＰＣ挿入位置からＦＰＣ接続位置までの動作が、ＦＰＣ挿入位置からスライド開始位置までの回動動作と、スライド開始位置からＦＰＣ接続位置までのスライド動作という異なる２つの動作から構成され、アクチュエータ４をＦＰＣ挿入位置からスライド開始位置へ動作させ、さらに、アクチュエータ４をフレキシブル基板７の挿入方向へスライドさせてＦＰＣ接続位置に位置させることによって、フレキシブル基板７の接続が行われるように成されているので、フレキシブル基板用コネクタに接続されたフレキシブル基板７を取り回す際に、スライド開始位置からＦＰＣ挿入位置へとアクチュエータ４を回動させようとする力が生じたとしても、ＦＰＣ接続位置からスライド開始位置へのスライド動作が伴わない限り、アクチュエータ４が回動することはなく、従って、フレキシブル基板用コネクタによるフレキシブル基板の保持が確実となり、しかも、アクチュエータ４を薄くした場合においても、フレキシブル基板の保持を確実に行なうことができるので、低背化に適したフレキシブル基板用コネクタが提供される。
【００１５】
さらに、上記アクチュエータ４によるフレキシブル基板７の圧接は、アクチュエータ４をＦＰＣ接続位置へとスライドさせる際に行われるように構成され、ＦＰＣ挿入位置からスライド開始位置への回動動作中には、端子２の弾性変形を伴ってフレキシブル基板７が圧接されることがないように構成されているので、フレキシブル基板７の厚さ分の隙間を確保することによって、端子２の弾性変形幅も同時に確保されることとなり、従来のように、端子２の弾性変形幅の分だけハウジング１を高くする必要がなくなり、フレキシブル基板用コネクタのより一層の低背化が可能となる。
【００１６】
さらに、上記アクチュエータ４に、端子２のコンタクト部２４，３４の上方に形成された上腕部２６が挿入される上腕部収容溝４２を設け、上記アクチュエータ４をＦＰＣ接続位置にスライドさせた際に、上記上腕部２６の下面２７と上腕部収容溝４２に形成された係合部４４とが係合して、アクチュエータ４によるフレキシブル基板７のコンタクト部２４，３４への圧接が行われるように構成されていることによって、アクチュエータ４によるフレキシブル基板７の圧接が良好に行われ、その結果、フレキシブル基板用コネクタによるフレキシブル基板７の保持がより確実となるものである。
【００１７】
さらに、上記複数の端子２が、偶数極端子２１と、奇数極端子３１とで構成され、上記アクチュエータ４の上腕部収容溝４２が、偶数極端子２１の上腕部２６のみに対応した位置に形成されていることにより、アクチュエータ４の構造の簡素化を図ることができ、フレキシブル基板用コネクタの製造コストを低減することができ、しかも、アクチュエータ４によってＦＰＣ７を圧接した際の偶数極端子２１のコンタクト部２４による反力と奇数極端子３１のコンタクト部３４による反力とがバランスするように成されていることにより、フレキシブル基板用コネクタによるフレキシブル基板７の保持が良好となるものである。
【００１８】
さらに、上記アクチュエータ４が、その両端部にフック部５４を備え、アクチュエータ４をフレキシブル基板７の挿入方向にスライドさせてＦＰＣ接続位置に位置させた際に、フック部５４が、取付金具６のロック用突部６２に係合するように構成されていることにより、フレキシブル基板７の接続時におけるアクチュエータ４のスライド開始位置からＦＰＣ挿入位置への回動動作がより確実に防止され、フレキシブル基板用コネクタによるフレキシブル基板７の保持がより確実となるものである。
【００１９】
さらに、上記アクチュエータ４は、板状の金属部材５１を樹脂でモールドして成り、アクチュエータ４に板状の金属部材５１が装着されることにより、強度を低下させることなくアクチュエータ４自体を薄くすることができ、その結果、フレキシブル基板７を均一に加圧することができ、フレキシブル基板７を確実に保持することができると共に、変形や曲がり、撓みを防止でき、電気的接触状態に支障をきたすことなく低背化を実現でき、しかも、上記金属部材５１は、樹脂モールド４１が被覆される装着部５２と樹脂モールド４１から露出する支持軸５３及びフック部５４より成り、これら各部が一体に形成されているので、部品の数を減らすことができ、フレキシブル基板用コネクタの製造コストを低減することができる。
【００２０】
【発明の実施の形態】
以下、本発明の実施の形態を添付図面に基づき詳細に説明する。
図１、図２、図３、図４、図５に示したように、本発明のフレキシブル基板用コネクタは、フレキシブル基板（以下、ＦＰＣと記載）７が挿入されるＦＰＣ挿入開口１１が形成されたハウジング１と、上記ハウジング１に保持されると共に、ＦＰＣ挿入開口１１に挿入されるＦＰＣ７の接点（図示せず）との接続を図る複数の端子２と、上記ＦＰＣ挿入開口１１に設けられるアクチュエータ４より成る。
【００２１】
上記ハウジング１は、絶縁性樹脂より成り、上記ＦＰＣ挿入開口１１を、一側に備え、上記ＦＰＣ挿入開口１１は、ハウジング１の一側からＦＰＣ７を挿入できるように形成されていると共に、ハウジング１の上方に開口しているものであり、さらに、上記ＦＰＣ挿入開口１１の奥側の両端部には、上記アクチュエータ４を支持する取付金具６が配設されている。
【００２２】
上記複数の端子２の各々は、ハウジング１の他側からＦＰＣ挿入開口１１にかけて形成された端子溝１２内に収容された状態で配設されていると共に、偶数極端子２１と奇数極端子３１とに分けられ、上記偶数極端子２１の各々は、基部２２と、基部２２から延出し、先端にコンタクト部２４を備えたコンタクトアーム２３と、テール部２５より成り、上記奇数極端子３１も同様に、基部３２と、基部３２から延出し、先端にコンタクト部３４を備えたコンタクトアーム３３と、テール部３５より成る。
【００２３】
そして、上記偶数極端子２１は、図６に示したように、ＦＰＣ挿入開口１１の入口側にコンタクト部２４が位置するように配設されているものであり、コンタクトアーム２３の上方には、上腕部２６が設けられ、上記上腕部２６は、アクチュエータ４に形成された上腕部収容溝４２に収容されると共に、その下面２７が上記上腕部収容溝４２のカム部分４３及び係合部４４に係合するように構成されている。
【００２４】
そして、上記奇数極端子３１は、図７に示したように、ＦＰＣ挿入開口１１の奥側にコンタクト部３４が位置するように配設されているものであり、また、上記偶数極端子２１と同様、コンタクトアーム３３の上方に上腕部３６を有するものであるが、上記上腕部３６は、ハウジング１内に位置し、アクチュエータ４とは係合していない。
【００２５】
また、上記のように偶数極端子２１と奇数極端子３１を配設することにより、アクチュエータ４をＦＰＣ接続位置に位置させた状態（図６、図７、図１３）において、偶数極端子２１に形成された上腕部２６の下面２７と上腕部収容溝４２の係合部４４との係合位置を中にして、その前後（ＦＰＣ挿入開口１１の入口側と奥側）に偶数極端子２１のコンタクト部２４と奇数極端子３１のコンタクト部３４が位置することとなる。
【００２６】
上記アクチュエータ４は、ＦＰＣ挿入位置からＦＰＣ接続位置までの間で動作できるように構成され、上記ＦＰＣ挿入位置からＦＰＣ接続位置までの間の動作は、ＦＰＣ挿入位置からスライド開始位置までにおける回動動作と、スライド開始位置からＦＰＣ接続位置までにおけるＦＰＣ７の挿入方向へのスライド動作より成り、上記アクチュエータ４によるＦＰＣ７のコンタクト部２４，３４への圧接は、アクチュエータ４をＦＰＣ接続位置にスライドさせることによって行われるように構成されている。
【００２７】
さらに、上記アクチュエータ４には、上記偶数極端子２１の上腕部２６が収容される上腕部収容溝４２が形成され、上記上腕部収容溝４２の入口側（ＦＰＣ挿入開口１１における奥側）には、アクチュエータ４の動作の際、即ち、アクチュエータ４のＦＰＣ挿入位置からスライド開始位置への回動動作及びスライド開始位置からＦＰＣ接続位置へのスライド動作の際において上腕部２６の下面２７と係合するカム４３が形成され、上記上腕部収容溝４２の奥側（ＦＰＣ挿入開口１１における入口側）には、アクチュエータ４がＦＰＣ接続位置に位置した際において上記上腕部２６の下面２７と係合する係合部４４が形成されている。
【００２８】
さらに、上記上腕部収容溝４２に形成されたカム４３と係合部４４の間には、凹部４５が設けられており、アクチュエータ４のＦＰＣ挿入位置からスライド開始位置までにおける回動動作が円滑に行われるように、即ち、上記上腕部２６の先端がアクチュエータ４の上腕部収容溝４２の壁面（底壁）に干渉して回動動作が妨げられることを防止している。
【００２９】
そして、上記アクチュエータ４は、図８、図９、図１０に示したように、板状の金属部材５１に樹脂をモールドして成るものであり、アクチュエータ４を薄くすることによって生じる強度の低下が防止されている。
【００３０】
さらに、上記金属部材５１は、樹脂モールド４１で被覆される装着部５２と、上記樹脂モールド４１から露出する支持軸５３及びフック部５４を備え、上記支持軸５３は、ハウジング１のＦＰＣ挿入開口１１の両端部に設けられた取付金具６に形成されている支持溝６１に支持され、また、上記フック部５４は、上記取付金具６に形成されたロック用突部６２に係合するものであり、フック部５４とロック用突部６２の係合は、アクチュエータ４をＦＰＣ接続位置へとスライドさせた際に行われる。
【００３１】
さらに、上記金属部材５１の装着部５２は、支持軸５３及びフック部５４を一体的に具備して成るものであり、上記金属部材５１を構成する装着部５２、支持軸５３、フック部５４が一体的に形成されることにより、部品の数を減らすことができると共に、アクチュエータ４の構造を簡素にすることができ、フレキシブル基板用コネクタの製造コストの低減を図ることができる。
【００３２】
また、上記取付金具６の下面６３は、はんだ付け面として構成されており、複数の端子２の偶数極端子２１及び奇数極端子３１におけるテール部２５，３５と共に、フレキシブル基板用コネクタをプリント回路板等に実装する際に利用される。
【００３３】
次に、上記構成に基づいて、本発明のフレキシブル基板用コネクタの作動について説明する。図１１、図１２、図１３は、フレキシブル基板用コネクタにＦＰＣ７を接続する際の一連の動作を示しており、図１１は、アクチュエータ４がＦＰＣ挿入位置に位置している状態、図１２は、アクチュエータ４がスライド開始位置に位置している状態、図１３は、アクチュエータ４がＦＰＣ接続位置に位置している状態を示し、フレキシブル基板用コネクタへのＦＰＣ７の接続は、アクチュエータ４をＦＰＣ挿入位置に位置させた状態でハウジング１のＦＰＣ挿入開口１１に対してＦＰＣ７を挿入する（図１１）ことによって開始される。
【００３４】
次いで、図１２に示したように、アクチュエータ４を動作（回動）させてＦＰＣ挿入位置からスライド開始位置に位置させるものであり、上記アクチュエータ４がＦＰＣ挿入位置からスライド開始位置に至るまでの間の回動動作において、アクチュエータ４のカム４３とＦＰＣ７は、偶数極端子２１のコンタクト部２４と、奇数極端子３１のコンタクト部３４との間にて接触しており、アクチュエータ４の回動動作の際において、端子２自体が弾性変形することはなく、アクチュエータ４の動作による開閉を容易に行うことができると共に、動作時におけるアクチュエータ４の変形や曲がり、撓みが防止される。
【００３５】
しかも、このとき、アクチュエータ４とＦＰＣ挿入開口１１との間に確保されるＦＰＣ７の厚さに応じた隙間によって、偶数極端子２１及び奇数極端子３１の弾性変形幅が同時に確保されることとなり、従来のように、ＦＰＣ７の厚さ分に加えて、端子２の弾性変形幅の分だけハウジング１を高くする必要がなくなり、フレキシブル基板用コネクタのより一層の低背化を実現できる。
【００３６】
さらに、上記アクチュエータ４のＦＰＣ挿入位置からスライド開始位置への回動動作は、偶数極端子２１の上腕部２６の下面２７が、アクチュエータ４に形成された上腕部収容溝４２のカム４３に沿うようにして行われ、このとき、上腕部収容溝４２に挿入された上腕部２６の先端は、腕部収容溝４２の凹部４５内を移動するものであり、上腕部２６の先端がアクチュエータ４に干渉することが防止され、アクチュエータ４のＦＰＣ挿入位置からスライド開始位置までにおける回動動作が円滑に行われる。
【００３７】
そして、上記アクチュエータ４がスライド開始位置に位置したとき、アクチュエータ４のＦＰＣ挿入開口１１側の面が加圧面４６としてＦＰＣ７に当接し、ＦＰＣ７を偶数極端子２１のコンタクト部２４に向かって加圧することとなり、このとき、加圧された偶数極端子２１のコンタクト部２４の反力によって、アクチュエータ４には、ＦＰＣ挿入位置へ戻ろうとする方向の力が生じており、このスライド開始位置でアクチュエータ４の動作を止めた場合には、アクチュエータ４がＦＰＣ挿入位置へと戻ってしまうこととなる。
【００３８】
次いで、図１３に示したように、スライド開始位置に位置しているアクチュエータ４をＦＰＣ７の挿入方向にスライドさせてＦＰＣ接続位置に位置させることによって、アクチュエータ４の加圧面４６が、上記偶数極端子２１のコンタクト部２４に加えて、奇数極端子３１のコンタクト部３４に向かってＦＰＣ７を加圧し、アクチュエータ４によるＦＰＣ７のコンタクト部２４，３４への圧接が行われ、これによって、ＦＰＣ７の接点と偶数極端子２１のコンタクト部２４及び奇数極端子３１のコンタクト部３４が接触し、フレキシブル基板用コネクタによるＦＰＣ７の接続が行われる。
【００３９】
さらに、上記アクチュエータ４をＦＰＣ接続位置に位置させたときに行われるアクチュエータ４によるＦＰＣのコンタクト部２４，３４への圧接は、アクチュエータ４の上腕部収容溝４２内に形成された係合部４４と、偶数極端子２１の上腕部２６の下面２７が係合することによって行われ、上記偶数極端子２１の上腕部２６の下面２７と上腕部収容溝４２の係合部４４との係合位置を中にして、その前後に偶数極端子２１のコンタクト部２４と奇数極端子３１のコンタクト部３４が位置することとなる。
【００４０】
そして、アクチュエータ４をＦＰＣ接続位置に位置させた状態のときには、上記偶数極端子２１のコンタクト部２４の反力によって、上腕部２６の下面２７と上腕部収容溝４２の係合部４４との係合位置を支点として、アクチュエータ４をＦＰＣ挿入位置に向かって回動させる方向に力が生じているものであるが、これと同時に、上記奇数極端子３１のコンタクト部３４の反力によって、上腕部２６の下面２７と上腕部収容溝４２の係合部４４との係合位置を支点として、アクチュエータ４をスライド開始位置に向かって回動させる方向に力が生じており、従って、上記偶数極端子２１のコンタクト部２４からアクチュエータ４に加わる力と、奇数極端子３１のコンタクト部３４からアクチュエータ４に加わる力とがバランスすることとなり、アクチュエータ４がＦＰＣ挿入位置方向へ回動させる力が生じず、アクチュエータ４が不用意にＦＰＣ挿入位置に回動してしまう心配がない。
【００４１】
さらに、上記ＦＰＣ接続位置に位置するアクチュエータ４をＦＰＣ挿入位置に位置させるには、先ず、アクチュエータ４をＦＰＣ接続位置からスライド開始位置にスライドさせる必要があり、フレキシブル基板用コネクタに接続されたフレキシブル基板７を取り回す際に、スライド開始位置からＦＰＣ挿入位置へとアクチュエータ４を回動させようとする力が生じたとしても、ＦＰＣ接続位置からスライド開始位置へのスライド動作が伴わない限り、アクチュエータ４が不用意にＦＰＣ挿入位置に回動してしまう心配はなく、フレキシブル基板用コネクタによるフレキシブル基板７の接続（保持）が良好に行われる。
【００４２】
加えて、上記アクチュエータ４がＦＰＣ接続位置に位置した状態において、上腕部収容溝４２のカム４３及び係合部４４と、偶数極端子２１の上腕部２６の下面２７が係合し、この２箇所の係合と、偶数極端子２１のコンタクト部２４及び奇数極端子３１のコンタクト部３４によって、アクチュエータ４が挟持されることとなるので、アクチュエータ４が、ＦＰＣ接続位置からスライド開始位置に不用意にスライドしてしまうこともない。
【００４３】
また、上記アクチュエータ４のＦＰＣ接続位置は、偶数極端子２１の上腕部２６の基部２２側に形成されたテーパー面Ｓと、アクチュエータ４に形成されたカム４３とが当接する位置によって決められるものであり、さらに、フレキシブル基板用コネクタとＦＰＣ７との接続の解除は、上述したＦＰＣ７を接続する際の一連の動作を逆にたどることで行われる。
【００４４】
そして、上述したように、フレキシブル基板用コネクタにおけるアクチュエータ４のＦＰＣ挿入位置からＦＰＣ接続位置までの動作が、ＦＰＣ挿入位置からスライド開始位置までの回動動作と、スライド開始位置からＦＰＣ接続位置までのスライド動作という異なる２つの動作から構成され、しかも、アクチュエータ４によるＦＰＣ７のコンタクト部２４，３４への圧接は、アクチュエータ４をＦＰＣ接続位置にスライドさせる際に行われるので、フレキシブル基板用コネクタによるフレキシブル基板７の保持を確実に行なうことができると同時に、低背化に適したフレキシブル基板用コネクタが得られる。
【００４５】
加えて、上記アクチュエータ４は、板状の金属部材５１に樹脂をモールドして成るものであり、アクチュエータ４を薄くすることによって生じる強度の低下が防止され、より低背化に適したフレキシブル基板用コネクタが得られる。
【００４６】
さらに、アクチュエータ４をＦＰＣ接続位置にスライドさせることによって、アクチュエータ４に設けられたフック部５４がハウジング１に設けられた取付金具６のロック用突部６２に係合するものであり、これによって、ＦＰＣ７の取り回しの際に、アクチュエータ４がスライド開始位置からＦＰＣ挿入位置へと回動してしまうような不具合を確実に防止でき、ＦＰＣ７の保持をより確実に行うことができる。
【００４７】
【発明の効果】
以上詳述した如く、本発明によると次の様な効果を奏する。
即ち、本発明のフレキシブル基板用コネクタは、フレキシブル基板用コネクタにおけるアクチュエータのＦＰＣ挿入位置からＦＰＣ接続位置までの動作が、ＦＰＣ挿入位置からスライド開始位置までの回動動作と、スライド開始位置からＦＰＣ接続位置までのスライド動作という異なる２つの動作から構成され、しかも、アクチュエータをフレキシブル基板の挿入方向へスライドさせてＦＰＣ接続位置に位置させることによって、フレキシブル基板の接続が行われるように成されているので、フレキシブル基板用コネクタによるフレキシブル基板の保持を確実に行うことができ、低背化に適したフレキシブル基板用コネクタが提供される。
【００４８】
さらに、アクチュエータ自体に板状の金属部材が挿着されるので、アクチュエータの強度を低下させることなくアクチュエータ自体を薄くすることができ、その結果、ＦＰＣを均一に加圧することができ、ＦＰＣを確実に保持することができると共に、変形や曲がり、撓みを防止でき、電気的接触状態に支障をきたすことなく低背化を実現できるフレキシブル基板用コネクタが提供される。
【図面の簡単な説明】
【図１】本発明のフレキシブル基板用コネクタの斜視図（アクチュエータがＦＰＣ挿入位置に位置している状態を示す）である。
【図２】本発明のフレキシブル基板用コネクタの斜視図（アクチュエータがＦＰＣ接続位置に位置している状態を示す）である。
【図３】本発明のフレキシブル基板用コネクタの平面図である。
【図４】本発明のフレキシブル基板用コネクタの正面図である。
【図５】本発明のフレキシブル基板用コネクタの右側面図である。
【図６】図１におけるＡ−Ａ線に沿う断面図である。
【図７】図１におけるＢ−Ｂ線に沿う断面図である。
【図８】アクチュエータの平面図である。
【図９】アクチュエータの正面図である。
【図１０】アクチュエータの右側面図である。
【図１１】アクチュエータをＦＰＣ挿入位置に位置させた状態を示すフレキシブル基板用コネクタの断面図（図３のＡ−Ａ線に沿う断面に相当）である。
【図１２】アクチュエータをＦＰＣ挿入位置からスライド開始位置に回動させた状態を示すフレキシブル基板用コネクタの断面図（図３のＡ−Ａ線に沿う断面に相当）である。
【図１３】アクチュエータをスライド開始位置からＦＰＣ接続位置にスライドさせた状態を示すフレキシブル基板用コネクタの断面図（図３のＡ−Ａ線に沿う断面に相当）である。
【符号の説明】
１　ハウジング
２　端子
４　アクチュエータ
６　取付金具
７　ＦＰＣ（フレキシブル基板）
１１　ＦＰＣ挿入開口
１２　端子溝
２１　偶数極端子
２２　基部
２３　コンタクトアーム
２４　コンタクト部
２５　テール部
２６　上腕部
２７　上腕部の下面
３１　奇数極端子
３２　基部
３３　コンタクトアーム
３４　コンタクト部
３５　テール部
３６　上腕部
４１　樹脂モールド
４２　上腕部収容溝
４３　カム
４４　係合部
４５　凹部
４６　加圧面
５１　金属部材
５２　装着部
５３　支持軸
５４　フック部
６１　支持溝
６２　ロック用突部
６３　取付金具の下面
Ｓ　テーパー面
【図１】
2004063401.tif 000003
【図２】
2004063401.tif 000004
【図３】
2004063401.tif 000005
【図４】
2004063401.tif 000006
【図５】
2004063401.tif 000007
【図６】
2004063401.tif 000008
【図７】
2004063401.tif 000009
【図８】
2004063401.tif 000010
【図９】
2004063401.tif 000011
【図１０】
2004063401.tif 000012
【図１１】
2004063401.tif 000013
【図１２】
2004063401.tif 000014
【図１３】
2004063401.tif 000015